(57)【要約】【課題】波長選択スイッチ内のポート数を削減し、小型化が可能な波長選択スイッチ及び光スイッチの数を低減させることが可能な光クロスコネクト装置を提供する。【解決手段】本発明の波長選択スイッチは、入力ポートから入力された波長多重信号光のヘッダ情報に基づいてマッピングし、Ｎ個の出力ポートから出力する分波手段と、分波手段から出力されたマッピングされた複数の波長光が複数の入力ポートから入力されると、該波長光を空間的に再結合して出力ポートから出力する複数の合波手段とを有する。本発明の光クロスコネクト装置は、入力側と出力側の波長選択スイッチ群の間に光スイッチ群を設けたものである。【選択図】図１
2008259134.tif 000002
【特許請求の範囲】
【請求項１】
波長多重伝送に使用される波長多重信号光から特定の波長の信号を選択して取り出す波長選択スイッチであって、
入力ポートから入力された波長多重信号光を波長に基づいてマッピングし、Ｎ個の出力ポートから出力する分波手段と、
前記分波手段から出力されたマッピングされた複数の波長光が複数の入力ポートから入力されると、該波長光を空間的に再結合して出力ポートから出力する複数の合波手段と、
を有することを特徴とする波長選択スイッチ。
【請求項２】
波長多重伝送に使用される波長多重信号光から特定の波長の信号を選択して取り出す波長選択スイッチであって、
入力ポートから入力された波長多重信号光を波長帯域毎に分割し、出力ポートから出力する複数の帯域分割フィルタを有し、
前記帯域分割フィルタは、波長帯域毎に分割された１つの波長光は第１の出力ポートからそのまま外部に出力し、それ以外の波長光は他の出力ポートから次段の帯域分割フィルタに出力し、
最後段の帯域分割フィルタは、波長帯域毎に分割された波長光をそのまま外部に出力することを特徴とする波長選択スイッチ。
【請求項３】
波長多重伝送に使用される波長多重信号光から特定の波長の信号を選択して取り出す波長選択スイッチを用いた光クロスコネクト装置であって、
前記波長多重信号光の入力側に請求項１記載の波長選択スイッチを並列に複数配置した第１の波長選択スイッチ群と、
出力側に請求項１記載の波長選択スイッチを並列に複数配置した第２の波長選択スイッチ群と、
前記第１の波長選択スイッチ群と前記第２の波長選択スイッチ群との間に複数の光スイッチを配置した光スイッチ群と、
前記波長選択スイッチに対して波長を選択するための波長編集信号を出力し、前記光スイッチに対して波長光の方路を切り替える方路切替信号を出力する制御手段と、
を有し、
前記第１の波長選択スイッチ群の各波長選択スイッチは、前記制御手段からの前記波長編集信号に基づいて、入力された波長多重信号光の波長を選択して前記光スイッチ群のいずれかの光スイッチに出力し、
前記光スイッチ群の前記光スイッチは、前記制御手段からの前記方路切替信号に基づいて、前記第１の波長選択スイッチ群の波長選択スイッチから入力された波長光の方路を切り替えて前記第２の波長選択スイッチ群の何れかの波長選択スイッチに出力し、
前記第２の波長選択スイッチ群の各波長選択スイッチは、前記光スイッチ群の前記光スイッチから入力された波長光の波長を、前記制御手段からの前記波長編集信号に基づいて選択して外部に出力する
ことを特徴とする光クロスコネクト装置。
【請求項４】
波長多重伝送に使用される波長多重信号光から特定の波長の信号を選択して取り出す波長選択スイッチを用いた光クロスコネクト装置であって、
前記波長多重信号光の入力側に請求項２記載の波長選択スイッチを並列に複数配置した第１の波長選択スイッチ群と、
出力側に請求項２記載の波長選択スイッチを並列に複数配置した第２の波長選択スイッチ群と、
前記第１の波長選択スイッチ群と前記第２の波長選択スイッチ群との間に複数の光スイッチを配置した光スイッチ群と、
前記波長選択スイッチに対して波長を選択するための波長編集信号を出力し、前記光スイッチに対して波長光の方路を切り替える方路切替信号を出力する制御手段と、
を有し、
前記第１の波長選択スイッチ群の各波長選択スイッチは、前記制御手段からの前記波長編集信号に基づいて、波長多重信号光の波長を選択して前記光スイッチ群のいずれかの光スイッチに出力し、
前記光スイッチ群の前記光スイッチは、前記制御手段からの前記方路切替信号に基づいて、前記第１の波長選択スイッチ群の波長選択スイッチから入力された波長光の方路を切り替えて前記第２の波長選択スイッチ群の何れかの波長選択スイッチ出力し、
前記第２の波長選択スイッチ群の各波長選択スイッチは、前記光スイッチ群の前記光スイッチから入力された波長光の波長を、前記制御手段からの前記波長編集信号に基づいて波長を選択して外部に出力する
ことを特徴とする光クロスコネクト装置。
【請求項５】
波長多重伝送に使用される波長多重信号光から特定の波長の信号を選択して取り出す波長選択スイッチにおける波長選択方法であって、
分波手段において、入力ポートから入力された波長多重信号光を波長に基づいてマッピングし、Ｎ個の出力ポートから出力し、
複数の合波手段において、出力されたマッピングされた複数の波長光が複数の入力ポートから入力されると、該波長光を空間的に再結合して出力ポートから出力する
ことを特徴とする波長選択方法。
【請求項６】
波長多重伝送に使用される波長多重信号光から特定の波長の信号を選択して取り出す波長選択スイッチにおける波長選択方法であって、
複数の帯域分割フィルタにおいて、入力ポートから入力された波長多重信号光を波長帯域毎に分割し、
波長帯域毎に分割された１つの波長光は第１の出力ポートからそのまま外部に出力し、それ以外の波長光は他の出力ポートから次段の帯域分割フィルタに出力し、
最後段の帯域分割フィルタは、波長帯域毎に分割された波長光をそのまま外部に出力することを特徴とする波長選択方法。
【請求項７】
波長多重伝送に使用される波長多重信号光から特定の波長の信号を選択して取り出す波長選択スイッチを用いた光クロスコネクト装置における信号制御方法であって、
前記波長多重信号光の入力側に請求項１記載の波長選択スイッチを並列に複数配置した第１の波長選択スイッチ群と、
出力側に請求項１記載の波長選択スイッチを並列に複数配置した第２の波長選択スイッチ群と、
前記第１の波長選択スイッチ群と前記第２の波長選択スイッチ群との間に複数の光スイッチを配置した光スイッチ群と、
前記波長選択スイッチに対して波長を選択するための波長編集信号を出力し、前記光スイッチに対して波長光の方路を切り替える方路切替信号を出力する制御手段と、
を有する光クロスコネクト装置において、
前記第１の波長選択スイッチ群の各波長選択スイッチは、前記制御手段からの前記波長編集信号に基づいて、入力された波長多重信号光の波長を選択して前記光スイッチ群のいずれかの光スイッチに出力し、
前記光スイッチ群の前記光スイッチは、前記制御手段からの前記方路切替信号に基づいて、前記第１の波長選択スイッチ群の波長選択スイッチから入力された波長光の方路を切り替えて前記第２の波長選択スイッチ群の何れかの波長選択スイッチに出力し、
前記第２の波長選択スイッチ群の各波長選択スイッチは、前記光スイッチ群の前記光スイッチから入力された波長光の波長を、前記制御手段からの前記波長編集信号に基づいて選択して外部に出力する
ことを特徴とする光クロスコネクト装置における信号制御方法。
【請求項８】
波長多重伝送に使用される波長多重信号光から特定の波長の信号を選択して取り出す波長選択スイッチを用いた光クロスコネクト装置における信号制御方法であって、
前記波長多重信号光の入力側に請求項２記載の波長選択スイッチを並列に複数配置した第１の波長選択スイッチ群と、
出力側に請求項２記載の波長選択スイッチを並列に複数配置した第２の波長選択スイッチ群と、
前記第１の波長選択スイッチ群と前記第２の波長選択スイッチ群との間に複数の光スイッチを配置した光スイッチ群と、
前記波長選択スイッチに対して波長を選択するための波長編集信号を出力し、前記光スイッチに対して波長光の方路を切り替える方路切替信号を出力する制御手段と、
を有する光クロスコネクト装置において、
前記第１の波長選択スイッチ群の各波長選択スイッチは、前記制御手段からの前記波長編集信号に基づいて、波長多重信号光の波長を選択して前記光スイッチ群のいずれかの光スイッチに出力し、
前記光スイッチ群の前記光スイッチは、前記制御手段からの前記方路切替信号に基づいて、前記第１の波長選択スイッチ群の波長選択スイッチから入力された波長光の方路を切り替えて前記第２の波長選択スイッチ群の何れかの波長選択スイッチ出力し、
前記第２の波長選択スイッチ群の各波長選択スイッチは、前記光スイッチ群の前記光スイッチから入力された波長光の波長を、前記制御手段からの前記波長編集信号に基づいて波長を選択して外部に出力する
ことを特徴とする光クロスコネクト装置における信号制御方法。
【発明の詳細な説明】
【技術分野】
【０００１】
本発明は、波長選択スイッチ及び光クロスコネクト装置及び波長選択方法及び光クロスコネクト装置における信号制御方法に係り、特に、各波長をあるまとまりに編集し、生成した波長群毎に、方路設定等の信号処理を行うため、波長多重信号光から特定の波長の信号を選択して取り出す波長選択スイッチ及び光クロスコネクト装置及び波長選択方法及び光クロスコネクト装置における信号制御方法に関する。
【背景技術】
【０００２】
光通信システムでは、１本の光ファイバに異なる波長光を複数伝搬させることができる波長多重通信技術（WDM：Wavelength Division Multiplexing）を用いることによって伝送容量を増大させている。このＷＤＭにおいて、波長多重信号光から特定の波長信号を取り出す波長選択スイッチが利用されている。
【０００３】
従来のＷＤＭにおける波長選択スイッチ（ＷＳＳ）の構成を図１０に示す。
【０００４】
図１０に示す波長選択スイッチ１は、１つの分波器１０、分波器１０に接続された複数光スイッチ２０、光スイッチ２０に接続された複数の合波器３０から構成される。
【０００５】
同図に示す分波器１０は、入力ポートから入力されたλ１，λ２，…，λｎのｎチャネルからなる波長多重信号光を外部から入力された波長編集信号に基づいてｎ個に分波し、ｎ個の光スイッチ２０に出力する。つまり、波長多重信号光の波長数と同数の光スイッチが必要となる。同図の例では、λ１，λ２，…，λ１１の波長多重信号光を１１に分波し、１１個の光スイッチ２０に出力している。
【０００６】
それぞれの光スイッチ２０は、１つの入力ポートとＭ（Ｍは合波器の数）個の出力ポートを持ち、外部から入力された方路切替信号に基づいて、入力された何れかのＷＤＭ入力光を切り替えて何れかの合波器３０に出力する。
【０００７】
合波器３０は、光スイッチ２０から入力された波長を合波して出力する。図１０の例では、４つの合波器が設けられており、波長群λ１〜λ３、波長群λ４〜λ６、波長群λ７〜λ８、波長群λ９〜λ１１が出力される。
【０００８】
次に、上記の構成の波長選択スイッチを用いた光クロスコネクト装置について説明する。
【０００９】
図１１は、従来の光クロスコネクト装置の構成を示す。
【００１０】
同図に示す光クロスコネクト装置は、波長を管理し、波長編集信号及び方路切替信号を出力する制御部２と、入力側、出力側とも４個ずつの図１０に示した波長選択スイッチ１を有する。入力側の波長選択スイッチ１に波長が入力されると、制御部２からの波長編集信号及び方路切替信号に基づいて選択された波長が出力側の波長選択スイッチ１のいずれかに出力される（例えば、非特許文献１参照）。
【非特許文献１】Lei Zong, Philip Ji, Ting Wang, Osamu Matsuda, Milorad Cvijetic, "Study on Wave length Cross-Connect Realized with Wavelength Selective Switches", Optical Fiber Communications 2006.
【発明の開示】
【発明が解決しようとする課題】
【００１１】
しかしながら、上記従来の波長選択スイッチは、分波器で分岐された方路数分の光スイッチが必要となる。つまり、波長多重信号光の波長数だけ光スイッチが必要となるため、波長数が増加すると、波長選択スイッチの挿入損失が大きくなる。
【００１２】
また、従来の波長多重信号光の波長数と同数の光スイッチを内蔵する波長選択スイッチを用いた光クロスコネクト装置は、波長選択スイッチの数が増加するに伴い、波長選択スイッチの挿入損失は非常に大きなものとなる。
【００１３】
更に、従来は、制御部から波長編集信号と方路切替信号の両方を波長選択スイッチに入力していたため、信号処理が複雑になるという問題がある。
【００１４】
本発明は、上記の点に鑑みなされたもので、波長選択スイッチ内のポート数を削減し、小型化が可能な波長選択スイッチ、及び光スイッチの数を削減し、低コスト化が可能な光クロスコネクト装置を提供することを目的とする。
【課題を解決するための手段】
【００１５】
図１は、本発明の第１の原理構成図である。
【００１６】
本発明（請求項１）は、波長多重伝送に使用される波長多重信号光から特定の波長の信号を選択して取り出す波長選択スイッチであって、
入力ポートから入力された波長多重信号光を波長に基づいてマッピングし、Ｎ個の出力ポートから出力する分波手段１１０と、
分波手段１１０から出力されたマッピングされた複数の波長光が複数の入力ポートから入力されると、該波長光を空間的に再結合して出力ポートから出力する複数の合波手段１２０と、を有する。
【００１７】
本発明（請求項２）は、波長多重伝送に使用される波長多重信号光から特定の波長の信号を選択して取り出す波長選択スイッチであって、
入力ポートから入力された波長多重信号光を波長帯域毎に分割し、出力ポートから出力する複数の帯域分割フィルタを有し、
帯域分割フィルタは、波長帯域毎に分割された１つの波長光は第１の出力ポートからそのまま外部に出力し、それ以外の波長光は他の出力ポートから次段の帯域分割フィルタに出力し、
最後段の帯域分割フィルタは、波長帯域毎に分割された波長光をそのまま外部に出力する。
【００１８】
図２は、本発明の第２の原理構成図である。
【００１９】
本発明（請求項３）は、波長多重伝送に使用される波長多重信号光から特定の波長の信号を選択して取り出す波長選択スイッチを用いた光クロスコネクト装置であって、
波長多重信号光の入力側に請求項１記載の波長選択スイッチ１００を並列に複数配置した第１の波長選択スイッチ群１０１と、
出力側に請求項１記載の波長選択スイッチ１００を並列に複数配置した第２の波長選択スイッチ群１０２と、
第１の波長選択スイッチ群１０１と第２の波長選択スイッチ群１０２との間に光スイッチ３００を複数配置した光スイッチ群３０１と、
波長選択スイッチ１００に対して波長を選択するための波長編集信号を出力し、光スイッチ３００に対して波長光の方路を切り替える方路切替信号を出力する制御手段５０と、
を有し、
第１の波長選択スイッチ群１０１の各波長選択スイッチ１００は、制御手段５０からの波長編集信号に基づいて、入力された波長多重信号光の波長を選択して光スイッチ群３０１のいずれかの光スイッチ３００に出力し、
光スイッチ群３０１の光スイッチ３００は、制御手段５０からの方路切替信号に基づいて、第１の波長選択スイッチ群１０１の波長選択スイッチ１００から入力された波長信号の方路を切り替えて第２の波長選択スイッチ群１０２の何れかの波長選択スイッチ１００出力し、
第２の波長選択スイッチ１０２群の各波長選択スイッチ１００は、光スイッチ群３０１の光スイッチ３００から入力された波長光の波長を、制御手段５０からの波長編集信号に基づいて選択して外部に出力する。
【００２０】
本発明（請求項４）は、波長多重伝送に使用される波長多重信号光から特定の波長の信号を選択して取り出す波長選択スイッチを用いた光クロスコネクト装置であって、
波長多重信号光の入力側に請求項２記載の波長選択スイッチを並列に複数配置した第１の波長選択スイッチ群と、
出力側に請求項２記載の波長選択スイッチを並列に複数配置した第２の波長選択スイッチ群と、
第１の波長選択スイッチ群と第２の波長選択スイッチ群との間に複数光スイッチを配置した光スイッチ群と、
波長選択スイッチに対して波長を選択するための波長編集信号を出力し、光スイッチに対して波長光の方路を切り替える方路切替信号を出力する制御手段と、
を有し、
第１の波長選択スイッチ群の各波長選択スイッチは、制御手段からの波長編集信号に基づいて波長を選択して光スイッチ群のいずれかの光スイッチに出力し、
光スイッチ群の光スイッチは、制御手段からの方路切替信号に基づいて、入力された波長信号の方路を切り替えて第２の波長選択スイッチ群の何れかの波長選択スイッチ出力し、
第２の波長選択スイッチ群の各波長選択スイッチは、光スイッチ群の光スイッチから入力された波長光の波長を、制御手段からの波長編集信号に基づいて選択して外部に出力する。
【００２１】
本発明（請求項５）は、波長多重伝送に使用される波長多重信号光から特定の波長の信号を選択して取り出す波長選択スイッチにおける波長選択方法であって、
分波手段において、入力ポートから入力された波長多重信号光を波長に基づいてマッピングし、Ｎ個の出力ポートから出力し、
複数の合波手段において、出力されたマッピングされた複数の波長光が複数の入力ポートから入力されると、該波長光を空間的に再結合して出力ポートから出力する。
【００２２】
本発明（請求項６）は、波長多重伝送に使用される波長多重信号光から特定の波長の信号を選択して取り出す波長選択スイッチにおける波長選択方法であって、
複数の帯域分割フィルタにおいて、入力ポートから入力された波長多重信号光を波長帯域毎に分割し、
波長帯域毎に分割された１つの波長光は第１の出力ポートからそのまま外部に出力し、それ以外の波長光は他の出力ポートから次段の帯域分割フィルタに出力し、
最後段の帯域分割フィルタは、波長帯域毎に分割された波長光をそのまま外部に出力する。
【００２３】
本発明（請求項７）は、波長多重伝送に使用される波長多重信号光から特定の波長の信号を選択して取り出す波長選択スイッチを用いた光クロスコネクト装置における信号制御方法であって、
波長多重信号光の入力側に請求項１記載の波長選択スイッチを並列に複数配置した第１の波長選択スイッチ群と、
出力側に請求項１記載の波長選択スイッチを並列に複数配置した第２の波長選択スイッチ群と、
第１の波長選択スイッチ群と第２の波長選択スイッチ群との間に複数の光スイッチを配置した光スイッチ群と、
波長選択スイッチに対して波長を選択するための波長編集信号を出力し、光スイッチに対して波長光の方路を切り替える方路切替信号を出力する制御手段と、
を有する光クロスコネクト装置において、
第１の波長選択スイッチ群の各波長選択スイッチは、制御手段からの波長編集信号に基づいて、入力された波長多重信号光の波長を選択して光スイッチ群のいずれかの光スイッチに出力し、
光スイッチ群の光スイッチは、制御手段からの方路切替信号に基づいて、第１の波長選択スイッチ群の波長選択スイッチから入力された波長光の方路を切り替えて第２の波長選択スイッチ群の何れかの波長選択スイッチに出力し、
第２の波長選択スイッチ群の各波長選択スイッチは、光スイッチ群の光スイッチから入力された波長光の波長を、制御手段からの波長編集信号に基づいて選択して外部に出力する。
【００２４】
本発明（請求項８）は、波長多重伝送に使用される波長多重信号光から特定の波長の信号を選択して取り出す波長選択スイッチを用いた光クロスコネクト装置における信号制御方法であって、
波長多重信号光の入力側に請求項２記載の波長選択スイッチを並列に複数配置した第１の波長選択スイッチ群と、
出力側に請求項２記載の波長選択スイッチを並列に複数配置した第２の波長選択スイッチ群と、
第１の波長選択スイッチ群と第２の波長選択スイッチ群との間に複数の光スイッチを配置した光スイッチ群と、
波長選択スイッチに対して波長を選択するための波長編集信号を出力し、光スイッチに対して波長光の方路を切り替える方路切替信号を出力する制御手段と、
を有する光クロスコネクト装置において、
第１の波長選択スイッチ群の各波長選択スイッチは、制御手段からの波長編集信号に基づいて、波長多重信号光の波長を選択して光スイッチ群のいずれかの光スイッチに出力し、
光スイッチ群の光スイッチは、制御手段からの方路切替信号に基づいて、第１の波長選択スイッチ群の波長選択スイッチから入力された波長光の方路を切り替えて第２の波長選択スイッチ群の何れかの波長選択スイッチ出力し、
第２の波長選択スイッチ群の各波長選択スイッチは、光スイッチ群の光スイッチから入力された波長光の波長を、制御手段からの波長編集信号に基づいて波長を選択して外部に出力する。
【発明の効果】
【００２５】
上記のように本発明によれば、波長選択スイッチ内に光スイッチを挿入しない構成としたことにより、波長選択スイッチ内のポート数を削減することが可能となる。また、このような構成の波長選択スイッチを光クロスコネクト装置の入力側と出力側に設け、入力側の波長選択スイッチ群と出力側の波長選択スイッチ群の間に光スイッチを挿入することにより、光スイッチの数を低減することができるためコストの削減が可能となる。
【００２６】
さらに、波長選択スイッチと光スイッチを分けることにより、制御手段からの波長編集信号は波長選択スイッチに、方路切替信号は光スイッチにそれぞれ入力できるため、信号制御処理が簡素化される。
【発明を実施するための最良の形態】
【００２７】
以下、図面と共に本発明の実施の形態を説明する。
【００２８】
［第１の実施の形態］
本実施の形態では、波長選択スイッチの構成を示す。
【００２９】
図３は、本発明の第１の実施の形態における波長選択スイッチの構成を示す。
【００３０】
同図に示す波長選択スイッチ１００は、１つの分波器１１０とｎ個（図３では４個）の合波器１２０から構成される。
【００３１】
分波器１１０は、１×N分波器であり、波長多重信号光λ１，λ２，…，λｎが入力されると、外部からの制御に基づいて波長毎にマッピングして合波器１２０に出力する。
【００３２】
合波器１２０は、分波器１１０から入力された波長光の波長軸を空間的に再結合してグループ毎に出力する。
【００３３】
具体的に、波長λ１〜λ１４の波長多重信号光が入力され、そのうち、λ１を第１グループ、λ２，λ３を第２グループ、λ４，λ５を第３グループ、λ６，λ７を第４グループ、λ８，λ９を第５グループ、λ１０，λ１１を第６グループ、λ１２，λ１３を第７グループ、λ１４を第８グループとして説明する。
【００３４】
分波器１１０の入力ポートより上記の波長多重信号光λ１〜λ１４が入力されると、分波器１１０は、第１のグループと第２のグループの波長光を合波器１２０１に、第３のグループと第４グループの波長光を合波器１２０２に、第５のグループと第６グループの波長光を合波器１２０３に、第７のグループと第８グループの波長光を合波器１２０４にそれぞれ出力する。
【００３５】
これにより、それぞれの合波器１２０は、分波器１１０から入力されたグループ毎の波長光を結合して出力ポートから出力する。第１の合波器１２０１は第１・第２のグループの波長光を、第２の合波器１２０２は第３・第４のグループの波長光を、第３の合波器１２０３は第５・第６のグループの波長光を、第４の合波器１２０４は第７・第８のグループの波長光を結合して出力する。
【００３６】
上記のように、波長選択スイッチ内に光スイッチを挿入しないようにすることで、波長選択スイッチ内のポート数を削減することができ、波長選択スイッチの小型化が図れる。
【００３７】
［第２の実施の形態］
本実施の形態では、第１の実施の形態とは別の波長選択スイッチについて説明する。
【００３８】
図４は、本発明の第２の実施の形態における波長選択スイッチの構成を示す。
【００３９】
同図に示す波長選択スイッチ２００は、３つの帯域分割フィルタ２１０ａ〜２１０ｃで構成される。
【００４０】
各帯域分割フィルタ２１０ａ、２１０ｂは、１つの入力ポートと２つの出力ポートを有し、入力ポートより入力された波長多重信号光を波長帯域毎に分割し、一方はそのまま出力ポートに出力し、もう一方の波長光は、他の出力ポートから次段の帯域分割フィルタに出力する。また、最後段の帯域分割フィルタ２１０ｃは、前段の帯域分割フィルタ２１０ｂで分割された波長光を全て出力ポートに出力する。
【００４１】
図４の例において、帯域分割フィルタ２１０ａの入力ポートに波長多重信号光λ１〜λ１１が入力されると、２つの波長光λ１〜λ３とλ４〜λ１１に分割し、λ１〜λ３はそのまま出力側のポートに出力し、λ４〜λ１１は次段の帯域分割フィルタ２１０ｂに出力する。
【００４２】
帯域分割フィルタ２１０ｂは、帯域分割フィルタ２１０ａから入力された波長λ４〜λ１１をλ４〜λ６とλ７〜λ１１に分割し、λ４〜λ６は出力側のポートに出力し、λ７〜λ１１は帯域分割フィルタ２１０ｃに出力する。
【００４３】
帯域分割フィルタ２１０ｃは、帯域分割フィルタ２１０ｂから入力された波長光λ７〜λ１１をλ７〜λ８とλ９〜λ１１に分割し、出力側のポートに出力する。
【００４４】
なお、上記の図４の構成では、帯域分割フィルタ２１０を３個設けているが、この例に限定されることなく、必要に応じてｎ個設けることが可能である。また、図４では帯域分割フィルタのポート数を２個としているが、この例に限定されることなく、増設することも可能である。
【００４５】
上記のように波長選択スイッチ２００を帯域分割フィルタのみで構成し、光スイッチを用いない構成とすることにより、波長光の方路毎に光スイッチを配置する必要がなく、波長選択スイッチの小型化が図れる。
【００４６】
［第３の実施の形態］
本実施の形態では、第１の実施の形態における波長選択スイッチ１００を用いた光クロスコネクト装置について説明する。
【００４７】
図５は、本発明の第３の実施の形態における光クロスコネクト装置の構成を示す。
【００４８】
同図に示す光クロスコネクト装置は、制御部５０、図３に示す複数の波長選択スイッチ１００、複数の光スイッチ３００から構成される。
【００４９】
入力側の波長選択スイッチ１００ａ１〜１００ａ４と出力側の波長選択スイッチ１００ｂ１〜１００ｂ４の間に光スイッチ３００１〜３００３が設けられている。但し、本実施の形態では、光クロスコネクト装置の入力側の波長選択スイッチ１００ａ１〜１００ａ４に接続される光スイッチの数は３個であるため、本実施の形態に適用される波長選択スイッチの構成は図６のように、３つの合波器１２０１〜１２０３を用いるものとする。
【００５０】
制御部５０は、波長選択スイッチ１００で選択すべき波長と波長の方路を記憶手段内にテーブルの形式で管理しており、入力側の波長選択スイッチ１００ａ１〜１００ａ４及び出力側の波長選択スイッチ１００ｂ１〜１００ｂ４に対して波長を選択するための波長編集信号を出力する。また、制御部５０は、入力側の波長選択スイッチ１００ａ１〜１００ａ４と出力側の波長選択スイッチ１００ｂ１〜１００ｂ４との間に設けられた光スイッチ３００１〜３００３に対して、入力側の波長選択スイッチ１００ａ１〜１００ａ４から入力された波長光の方路を切り替えるための方路切替信号を出力する。
【００５１】
上記の構成において、入力側の波長選択スイッチ１００ａ１〜１００ａ４のそれぞれは、入力ポートより入力された波長多重信号光について制御部５０から入力された波長編集信号に基づいて波長を選択して光スイッチ３００１〜３００３の何れかに出力し、光スイッチ３００１〜３００３では、制御部５０から入力された方路切替信号に基づいて方路を切り替え、出力側の波長選択スイッチ１００ｂ１〜１００ｂ４の何れかに出力する。出力側の波長選択スイッチ１００ｂ１〜１００ｂ４は、光スイッチ３００から入力された波長光について、制御部５０からの波長編集信号に基づいて波長を選択し、それぞれの出力ポートより出力する。
【００５２】
［第４の実施の形態］
本実施の形態では、第２の実施の形態における波長選択スイッチ２００を用いた光クロスコネクト装置について説明する。
【００５３】
図７は、本発明の第４の実施の形態における光クロスコネクト装置の構成を示す。
【００５４】
同図に示す光クロスコネクト装置は、制御部５０、図４に示す複数の波長選択スイッチ２００、複数の光スイッチ３００から構成される。
【００５５】
図７に示す入力側の波長選択スイッチ２００ａ１〜２００ａ４と出力側の波長選択スイッチ２００ｂ１〜２００ｂ４の間に光スイッチ３００１〜３００３が設けられている。但し、本実施の形態では、入力側の波長選択スイッチ２００ａ１〜２００ａ４に接続される光スイッチの数は３個であるため、本実施の形態に適用される波長選択スイッチの構成は図７のように、３つの合波器１２０１〜１２０３を用いる。
【００５６】
図７に示す光クロスコネクト装置の動作は基本的には図５に示した装置と同様であり、波長選択スイッチ２００内の動作のみが異なるが、本実施の形態における波長選択スイッチ２００の動作は、第２の実施の形態で述べた動作と同様であるので、その説明は省略する。
【００５７】
［第５の実施の形態］
本実施の形態では、図１０に示す従来の構成の波長選択スイッチを用いた光クロスコネクト装置について説明する。
【００５８】
図９は、本発明の第５の実施の形態における光クロスコネクト装置の構成を示す。
【００５９】
同図に示す光クロスコネクト装置は、制御部５０、図１０に示す複数の波長選択スイッチ１、複数の光スイッチ３００から構成される。
【００６０】
入力側の波長選択スイッチ１１〜１４と出力側の波長選択スイッチ１５〜１８の間に光スイッチ３００１〜３００３が設けられている。
【００６１】
光クロスコネクト装置には、本発明の第１、第２の実施の形態で示した波長選択スイッチを用いることが望ましいが、本実施の形態のように従来の構成の波長選択スイッチを用いることも可能である。
【００６２】
なお、本発明は、上記の実施の形態に限定されることなく、特許請求の範囲内において種々変更・応用が可能である。
【産業上の利用可能性】
【００６３】
本発明は、波長多重伝送システムにおける波長選択スイッチ及び光クロスコネクト装置のみならず、OADM(Optical Add/Drop Multiplexer)のポート数拡張やリング間接続に適用可能である。
【図面の簡単な説明】
【００６４】
【図１】本発明の第１の原理を説明するための図である。
【図２】本発明の第２の原理を説明するための図である。
【図３】本発明の第１の実施の形態における波長選択スイッチの構成図である。
【図４】本発明の第２の実施の形態における波長選択スイッチの構成図である。
【図５】本発明の第３の実施の形態における光クロスコネクト装置の構成図である。
【図６】本発明の第３の実施の形態に適用される波長選択スイッチの構成例である。
【図７】本発明の第４の実施の形態における光クロスコネクト装置の構成図である。
【図８】本発明の第４の実施の形態に適用される波長選択スイッチの構成図である。
【図９】本発明の第５の実施の形態における光クロスコネクト装置の構成図である。
【図１０】従来の波長選択スイッチの構成図である。
【図１１】従来の光クロスコネクト装置の構成図である。
【符号の説明】
【００６５】
５０  制御手段
１００  波長選択スイッチ
１０１  第１の波長選択スイッチ群
１０２  第２の波長選択スイッチ群
１１０  分波手段、分波器
１２０  合波手段、合波器
２００  波長選択スイッチ
２１０  帯域分割フィルタ
３００  光スイッチ
３０１  光スイッチ群
【図１】
2008259134.tif 000003
【図２】
2008259134.tif 000004
【図３】
2008259134.tif 000005
【図４】
2008259134.tif 000006
【図５】
2008259134.tif 000007
【図６】
2008259134.tif 000008
【図７】
2008259134.tif 000009
【図８】
2008259134.tif 000010
【図９】
2008259134.tif 000011
【図１０】
2008259134.tif 000012
【図１１】
2008259134.tif 000013